(57)【特許請求の範囲】
【請求項１】
上端部に吐水口を有する便鉢と、
前記便鉢の前記上端部に連続して前方及び左右方向の外側に拡がったリムと、
前記リムの外周端部に連続して下方に延びた周囲壁と、
前記便鉢の上端部に連続して後方向に拡がった上面部とを備え、
前記便鉢、前記リム、及び前記周囲壁によって形成され前記便鉢の前及び左右の下部に拡がる空洞部と、前記上面部の下方に形成され、前記吐水口に連通して洗浄水が通過する給水空間とが形成され、一体成形された水洗式便器であって、
前記空洞部と前記給水空間とを隔てる遮断部が設けられていることを特徴とする水洗式便器。
【請求項２】
前記遮断部は前記周囲壁より後方に形成されていることを特徴とする請求項１記載の水洗式便器。
【請求項３】
前記吐水口は前記便鉢の前後方向の中央より後方に設けられていることを特徴とする請求項１又は２記載の水洗式便器。
【請求項４】
前記遮断部は前記空洞部と前記給水空間との間に外部に開放した空間を有するように設けられていることを特徴とする請求項１乃至３のいずれか１項記載の水洗式便器。
【請求項５】
前記遮断部は上方から見た平面視において前記リムに隠れた位置に設けられていることを特徴とする請求項１乃至４のいずれか１項記載の水洗式便器。
【請求項６】
前記便鉢は上端部の表面が垂直又は上方に向けて外側に僅かに傾斜していることを特徴とする請求項１乃至５のいずれか１項記載の水洗式便器。
【発明の詳細な説明】
【技術分野】
【０００１】
本発明は水洗式便器に関するものである。
【背景技術】
【０００２】
特許文献１は従来の水洗式便器を開示している。この水洗式便器は、上端部の前側に吐水口を有する便鉢、便鉢の上端部から連続して前方及び左右方向の外側に拡がったリム、リムの外周端部に連続して下方に延びた周囲壁、及び便鉢の上端部から後方向に拡がった上面部を備えている。この水洗式便器は上面部の後端部に洗浄水が流入する流入口が形成されている。この水洗式便器は、流入口に連通して上面部の下方に洗浄水が通過する給水部が形成されている。給水部は、上面部の下方を前方に向けて延び、便鉢の上端部後方から便鉢の上端左側の外側面に沿って吐水口まで延びている。この水洗式便器は、便鉢の上端部が外側に突出するように段差を形成し、リムの下方に洗浄水が通過する給水部を形成している。この水洗式便器は、このような構造にすることによって、鋳込成形で、便鉢、リム、周囲壁、上面部、及び給水部を鋳込成形によって一体に成形する（以下、一体成形という。）ことができる。このため、この水洗式便器は製造工数及びコストを抑えることができる。
また、他の従来の水洗式便器として、便鉢上端に沿った給水部を別工程で成形した後、成形工程の途中で便鉢の上端部に接着することで、給水部を便鉢と周囲壁との間に形成された空洞部と遮断し洗浄水が空洞部に流入しないようしたものも一般的に知られている。
【先行技術文献】
【特許文献】
【０００３】
【特許文献１】特開２０１３−１９４４１０号公報
【発明の概要】
【発明が解決しようとする課題】
【０００４】
しかし、特許文献１の水洗式便器は、一体成形でかつ、便鉢の上端部の前側に形成された吐水口に連通する給水部を形成するために便鉢の上端部が外側に突出するように段差を形成している。このため、この水洗式便器は意匠性が良好でない。
【０００５】
本発明は上記従来の実情に鑑みてなされたものであって、意匠性が良好で一体成形することができる水洗式便器を提供することを解決すべき課題としている。
【課題を解決するための手段】
【０００６】
本発明の水洗式便器は、
上端部に吐水口を有する便鉢と、
前記便鉢の上端部から前方及び左右方向の外側に拡がったリムと、
前記リムの外周端部から下方に延びた周囲壁と、
前記便鉢の上端部から後方向に拡がった上面部とを備え、
前記便鉢、前記リム、及び前記周囲壁によって形成され前記便鉢の前側及び左右側の下部に拡がる空洞部と、前記上面部の下方に形成され、前記吐水口に連通して洗浄水が通過する給水空間とが形成され、一体成形された水洗式便器であって、
前記空洞部と前記給水空間とを隔てる遮断部が設けられていることを特徴とする。
【０００７】
本発明の水洗式便器は、遮断部によって空洞部と給水空間とを隔てているため、洗浄水が空洞部に流入しない構造であるので、一体成形であってもリムの外周端部から下方に延びる周囲壁を段差なく形成することができ、意匠性を良好にすることができる。
【０００８】
したがって、本発明の水洗式便器は意匠性が良好で一体成形することができる。
【図面の簡単な説明】
【０００９】
【図１】実施例の水洗式便器を示す斜視図である。
【図２】実施例の水洗式便器を示す上面図である。
【図３】実施例の水洗式便器を示す左側面図である。
【図４】図２における矢視Ａ−Ａ断面図である。
【図５】図３における矢視Ｂ−Ｂ断面図である。
【図６】図２における矢視Ｃ−Ｃ断面図である。
【図７】図２における矢視Ｄ−Ｄ断面図である。
【図８】図２における矢視Ｅ−Ｅ断面図である。
【発明を実施するための形態】
【００１０】
本発明における好ましい実施の形態を説明する。
【００１１】
本発明の水洗式便器は遮断部が周囲壁より後方に形成され得る。この場合、この水洗式便器は、周囲壁より後方に遮断部を設けるため、周囲壁内に遮断部を設ける場合に比べ、周囲壁の外観を変えることなく、意匠性を損なわず、成形時に遮断部を容易に製造することができる。
【００１２】
本発明の水洗式便器は吐水口が便鉢の前後方向の中央より後方に設けられ得る。この場合、この水洗式便器は、給水空間が便鉢の前後方向の中央より後方に設けられることに伴って、遮断部の前端部も便鉢の前後方向の中央より後方に設けることができる。こうすることで、この水洗式便器は周囲壁を便鉢の前後方向の中央より後方まで延ばすことができる。つまり、この水洗式便器は、段差の無い周囲壁を便鉢の中央より後方に拡げることができるため、意匠性を向上させることができる。
【００１３】
本発明の水洗式便器は遮断部が空洞部と給水空間との間に外部に開放した空間を有するように設けられ得る。この場合、この水洗式便器は、鋳込成形時に空間を形成する成形型を所定の位置に配置することによって、空洞部と給水空間の前端部との間に空間を有する遮断部を容易に一体成形することができる。
【００１４】
本発明の水洗式便器は遮断部が上方から見た平面視においてリムに隠れた位置に設けられ得る。この場合、この水洗式便器は、使用者が遮断部を視認し難く、良好な外観を有することができる。
【００１５】
本発明の水洗式便器は便鉢の上端部の表面が垂直又は上方に向けて外側に僅かに傾斜し得る。この場合、この水洗式便器は、便鉢の表面全体を一目で見渡すことができる。このため、この水洗式便器は、便鉢の表面の汚れを視認しやすく、便鉢の清掃を容易に行うことができる。
【００１６】
次に、本発明の水洗式便器を具体化した実施例について、図面を参照しつつ説明する。
【００１７】
＜実施例＞
実施例の水洗式便器は、図１〜図４に示すように、便鉢１０、排水路３０、リム１１、周囲壁１２、支持壁１７、上面部５０、及び遮断部７０を備えている。
【００１８】
便鉢１０は、図１、図４、及び図５に示すように、椀状をなしている。この便鉢１０は第一立壁部１３、中間壁部１４、及び第二立壁部１５を有している。第一立壁部１３は上下方向に延びており外側に僅かに傾斜している。中間壁部１４は第一立壁部１３の下端部から内側に向けて下方に僅かに傾斜して延びている。第二立壁部１５は中間部の下端部から下方に向けて内側に僅かに傾斜して延びている。つまり、便鉢１０の表面は、上端部が第一立壁部１３の表面で形成されて上方に向けて外側に僅かに傾斜し、中間部が中間壁部１４の表面で形成されて内側に向けて下方に僅かに傾斜し、下端部が第二立壁部１５の表面で形成されて下方に向けて内側に僅かに傾斜している。
【００１９】
排水路３０は、図４に示すように、便鉢１０の下流側に連通している。この排水路３０は、第一下降流路３１、上昇流路３２、及び第二下降流路３３を有している。第一下降流路３１は便鉢１０の下流側に連通して便鉢１０の後方に向けて下降して延びている。上昇流路３２は第一下降流路３１の下流側に連通して便鉢１０の後方に向けて上昇して延びている。第二下降流路３３は上昇流路３２の下流側に連通してほぼ垂直に下方に向けて延びている。第二下降流路３３は下流側の開口部３４が下向きに開口している。この水洗式便器は、便鉢１０の下端部と第一下降流路３１と、上昇流路３２とによって溜水部１６を形成している。
【００２０】
便鉢１０は、図２に示すように、開口形状が上方から見た平面視において前端部の曲率半径が後端部の曲率半径より小さい卵型形状をなしている（前後は図２における下側上側である。以下同じ。）。第一立壁部１３は、図２及び図７に示すように、左側の後端部で上下方向の中間に吐水口１８が設けられている（左右は図２及び図７における左側右側である。上下は図７における上側下側である。以下同じ。）。つまり、この吐水口１８は便鉢１０の前後方向の中央より後方に設けられている。吐水口１８は外形形状が横方向に長いほぼ長円形状である。また、吐水口１８は下端縁が右側より左側が高く形成されている。
【００２１】
リム１１は便鉢１０の上端部に連続して前方及び左右方向の外側に向けてほぼ水平に拡がっている。リム１１は前端部から左右領域の中央部に向けて徐々に幅を狭く形成されている。
【００２２】
周囲壁１２は、図３及び図４に示すように、リム１１の外周端部に連続して下方に延びている。この周囲壁１２は便鉢１０の前及び左右を覆っている。この周囲壁１２はリム１１の外周端部から下方に向けて内側に向けて僅かに凹むように湾曲している。周囲壁１２は下部が後方に向けて延びている。周囲壁１２は下端面が床面に設置される。支持壁１７は、図４に示すように、便鉢１０の下部と周囲壁１２の下端部１９の前側とを繋いで形成されている。
【００２３】
上面部５０は、図１、図２、及び図４に示すように、便鉢１０の上端部に連続して後方向に拡がっている。この水洗式便器は、上面部５０の後方に便鉢１０に供給する洗浄水を貯留する洗浄タンク（図示せず）を載置する洗浄タンク載置部５１を有している。上面部５０は、図３及び図５に示すように、左右端部のそれぞれから下方に向けて左右壁部５２，５３が延びている。左右壁部５２，５３はそれぞれの下端部が上面部５０とほぼ平行な下面部５４で連結されている。
【００２４】
この水洗式便器は、図４及び図５に示すように、便鉢１０の第一立壁部１３、上面部５０、左右壁部５２，５３、下面部５４、及び洗浄タンク載置部５１の前壁５１Ａで囲まれた給水空間５５を形成している。給水空間５５は水洗式便器の後部の上端部に設けられている。給水空間５５は洗浄タンク載置部５１の前壁５１Ａに設けられた給水孔５６を介して洗浄タンク載置部５１に連通している。また、この給水空間５５は吐水口１８を介して便鉢１０内に連通している。
【００２５】
上面部５０は、図１、図２、図５及び図８に示すように、垂直方向に貫設された一対の貫通孔５７を有している。これら貫通孔５７は水洗式便器の左右中心線に対して対称位置に貫設されている。これら貫通孔５７は上面部５０から下面部５４まで貫通している。これら貫通孔５７は給水空間５５と隔てられている。これら貫通孔５７は図示しない便座装置を固定する取付具が挿通される。
【００２６】
この水洗式便器は、図４に示すように、便鉢１０、リム１１、周囲壁１２、及び支持壁１７で囲まれた空洞部２０を有している。空洞部２０は、図４〜図７に示すように、便鉢１０の前及び左右の下部に拡がって形成されている。空洞部２０は、図５に示すように、給水空間５５から便鉢１０の後部の左右両側で遮断部７０によって隔てられている。遮断部７０は、第１遮断壁７０Ａと第２遮断壁７０Ｂとを有している。また、遮断部７０は、第一遮断壁７０Ａと第二遮断壁７０Ｂとの間に外部に開放した空間７０Ｃを有している。第一遮断壁７０Ａは周囲壁１２の左右の後端部２２と便鉢１０の裏面とをそれぞれ連結している。第二遮断壁７０Ｂは左右壁部５２，５３の前端部と便鉢１０の裏面とをそれぞれ連結している。第一遮断壁７０Ａ及び第二遮断壁７０Ｂは上端部がリム１１の下面２１に連結されている。つまり、この空間７０Ｃは、図３及び図５に示すように、周囲壁１２、左右壁部５２，５３、及びリム１１の下面２１で囲まれた凹形状である。
【００２７】
このように、この水洗式便器は、空洞部２０と給水空間５５とが、空間７０Ｃを間に挟み形成された第１遮断壁７０Ａ、第二遮断壁７０Ｂとからなる遮断部７０によって隔てられている。このため、この水洗式便器は、後工程で成形の追加工をすることなく一体成形で給水空間５５を通過する洗浄水が空洞部２０に流入することを防ぐ機能を設けつつ、意匠性を良好にすることができる。また、遮断部７０は、図３及び図７に示すように、リム１１の下方に設けられている。つまり、上方から見た平面視においてリム１１に隠れた位置に設けられているため、使用者がこの水洗式便器を見た際、遮断部７０を視認し難く、良好な外観にすることができる。
【００２８】
また、遮断部７０は、図３に示すように、周囲壁１２の後端部２２で、便鉢１０の前後方向の中央より後方に設けられている。つまり、この水洗式便器は、周囲壁１２の後端部２２より後方に遮断部７０を設けるため、遮断部７０が周囲壁１２の一部に食い込んで形成されない。このため、この水洗式便器は、周囲壁１２の凹凸を少なくすることができるため、意匠性を良好にすることができる。
【００２９】
遮断部７０は、図３及び図５に示すように、空間７０Ｃを間に挟み形成された第１遮断壁７０Ａ、第二遮断壁７０Ｂとからなり、空洞部２０と給水空間５５との間に空間７０Ｃが設けられている。このため、この水洗式便器は、鋳込成形時に空間７０Ｃを形成する成形型を所定の位置に配置することによって、空洞部２０と給水空間５５との間の空間７０Ｃを有する遮断部７０を容易に一体成形することができる。
【００３０】
このような構成を有する水洗式便器は、遮断部７０によって空洞部２０と給水空間５５とを隔てているため、洗浄水が空洞部２０に流入しない構造であるので、一体成形であってもリム１１の外周端部から下方に延びる周囲壁１２を段差なく形成することができ、意匠性を良好にすることができる。
【００３１】
したがって、実施例の水洗式便器は意匠性が良好で一体成形することができる。
【００３２】
また、この水洗式便器は吐水口１８が便鉢１０の前後方向の中央より後方に設けられている。このため、この水洗式便器は、給水空間５５が便鉢１０の前後方向の中央より後方に設けられることに伴って、遮断部７０の前端部も便鉢１０の前後方向の中央より後方に設けることができる。こうすることで、この水洗式便器は周囲壁１２を便鉢１０の前後方向の中央より後方まで延ばすことができる。つまり、この水洗式便器は段差の無い周囲壁１２を便鉢１０の中央より後方に拡げることができるため、意匠性を向上させることができる。
【００３３】
また、実施例の水洗式便器は便鉢１０の上端部の表面が上方に向けて外側に僅かに傾斜している。このため、この水洗式便器は、便鉢１０の表面全体を一目で見渡すことができる。このため、この水洗式便器は、便鉢１０の表面の汚れを視認しやすく、便鉢１０の清掃を容易に行うことができる。
【００３４】
本発明は上記記述及び図面によって説明した実施例に限定されるものではなく、例えば次のような実施例も本発明の技術的範囲に含まれる。
（１）実施例では、遮断部は、横方向から見えるが、リムの外周端から垂下した垂下壁で隠してもよい。
（２）実施例では、周囲壁の後方は構造が隠れていないが化粧カバーを取り付けて隠してもよい。
（３）実施例では、便鉢の上端面が上方に向けて外側に僅かに傾斜しているが、垂直又は上方に向けて内側に傾斜していてもよい。
（４）実施例では、吐水口が便鉢の左側の後端部に１箇所設けてあったが、複数設けてもよい。
（５）実施例では、空洞部と給水空間との間に空間を設けているが、空間を設けずに空洞部と給水空間とを隔てる壁のみを設けてもよい。
（６）実施例では、洗浄タンク載置部を設けているが、洗浄タンク載置部を設けずに、水道管直結式や、フラッシュバルブ式等の他の給水方式を採用してもよい。
（７）実施例では、支持壁を設けているが、設けなくてもよい。
【符号の説明】
【００３５】
１０…便鉢
１１…リム
１２…周囲壁
１３…第一立壁部（便鉢の上端部）
１８…吐水口
２０…空洞部
５０…上面部
５５…給水空間
７０…遮断部
【図１】
0006284236.tif 000002
【図２】
0006284236.tif 000003
【図３】
0006284236.tif 000004
【図４】
0006284236.tif 000005
【図５】
0006284236.tif 000006
【図６】
0006284236.tif 000007
【図７】
0006284236.tif 000008
【図８】
0006284236.tif 000009